(57)【要約】ペン針（１０）を収容するための容器（２０）は、複数の空洞（３０）および複数のリング（４０）を備え、各空洞（３０）が、閉鎖端（３２）および開放端（３４）を有し、各リング（４０）が、前記ペン針（１０）を、第１の位置および第２の位置に保持するように構成された複数のアーム（４２）を含み、前記開放端（３４）が、外側に広がっており、前記ペン針（１０）が第１の位置にあるときに、前記複数のアーム（４２）が外側に広がっている。
2021521975.tif 000002
【特許請求の範囲】
【請求項１】
ペン針（１０）を収容するための容器（２０）であって、前記容器（２０）は、複数の空洞（３０）および複数のリング（４０）を備え、各空洞（３０）が、閉鎖端（３２）および開放端（３４）を有し、各リング（４０）が第１の位置および第２の位置にペン針（１０）を保持するように構成された複数のアーム（４２）を含み、
前記開放端（３４）が外側に広がっており、
前記ペン針（１０）が第１の位置にあるときに、前記複数のアーム（４２）が外側に広がっている、容器（２０）。
【請求項２】
前記複数の空洞（３０）が互いに入り込んでいる、請求項１に記載の容器（２０）。
【請求項３】
前記複数のリング（４０）の各々の前記複数のアーム（４２）がそれぞれ、テーパージョー（４４）を含み、
前記ペン針（１０）は、ハブ（１２）を含み、
第１の位置で、前記複数のリング（４０）の１つの前記複数のテーパージョー（４４）が前記ペン針（１０）の前記ハブ（１２）に係合する、請求項１に記載の容器（２０）。
【請求項４】
前記複数のテーパージョー（４４）の一部が、前記ペン針（１０）の前記ハブ（１２）の遠位端の下方に配置されている、請求項３に記載の容器（２０）。
【請求項５】
前記ペン針（１０）の前記ハブ（１２）が、前記複数のテーパージョー（４４）に係合するキャステレーション（１４）を含む、請求項３に記載の容器（２０）。
【請求項６】
前記ペン針（１０）の前記ハブ（１２）が、第１の位置で前記複数のテーパージョー（４４）と係合したときに実質的に回転しない、請求項３に記載の容器（２０）。
【請求項７】
前記複数のリング（４０）の各々の前記複数のアーム（４２）がそれぞれ、テーパージョー（４４）を含み、
前記ペン針（１０）が、ハブ（１２）を含み、
第２の位置で、前記複数のリング（４０）のうちの１つの前記複数のアーム（４２）および前記複数のテーパージョー（４４）が、前記ペン針（１０）の前記ハブ（１２）を少なくとも部分的に囲んでいる、請求項１に記載の容器（２０）。
【請求項８】
前記複数のテーパージョー（４４）が、前記ペン針（１０）の前記ハブ（１２）の近位端を越えて配置されている、請求項７に記載の容器（２０）。
【請求項９】
前記複数のリング（４０）の１つがそれぞれ、前記ペン針（１０）の前記ハブ（１２）に係合して、前記ペン針（１０）を前記複数のリング（４０）の１つに固定する複数の突出部（４６）を含む、請求項７に記載の容器（２０）。
【請求項１０】
前記ペン針（１０）が第２の位置にあるときに、前記複数のアーム（４２）が実質的に外側に広がっていない、請求項１に記載の容器（２０）。
【請求項１１】
前記ペン針（１０）が、第２の位置で、前記複数のリング（４０）の１つでロックされており、取り外すことができない、請求項１に記載の容器（２０）。
【請求項１２】
第２の位置にある、前記ペン針（１０）が、第１の位置にある前記ペン針（１０）よりも前記容器（２０）の内部のより深い位置に配置されている、請求項１に記載の容器（２０）。
【請求項１３】
前記複数のリング（４０）の各々が、開口部（４８）を有する基部（４１）を含み、
前記ペン針（１０）の針が、第１および第２の位置において、前記開口部（４８）を通って延在している、請求項１に記載の容器（２０）。
【請求項１４】
ペン針（１０）を収容するための容器（２０）であって、前記容器（２０）は、複数の空洞（３０）および複数のリング（４０）を備え、
各空洞（３０）が、
閉鎖端（３２）、
開放端（３４）、および
第１の位置および第２の位置に前記ペン針（１０）を保持する複数の突出部（４６）を備え、
前記複数のリング（４０）がそれぞれ、前記ペン針（１０）のハブ（１２）に係合するように構成されており、
第１の位置では，前記複数のリング（４０）の１つが、前記ペン針（１０）の前記ハブ（１２）から離れ、
第２の位置では、前記複数のリング（４０）の１つが、前記ペン針（１０）の前記ハブ（１２）に係合する、容器（２０）。
【請求項１５】
前記ハブ（１２）が、第２の位置で前記リング（４０）の複数のテーパージョー（４４）に係合するキャステレーション（１４）を含む、請求項１４に記載の容器（２０）。
【請求項１６】
ペン針（１０）を収容するための容器（２０）であって、前記容器（２０）が、複数の空洞（２３０）を備え、
各空洞（２３０）が、
閉鎖端（２３２）、
開放端（２３４）、
第１の位置および第２の位置に前記ペン針（１０）を保持する複数の突出部（２３８）、および
前記ペン針（１０）のハブ（１２）に係合するように構成された複数の戻り止め（２３９）を備え、
第１の位置では、前記複数の戻り止め（２３９）が、前記ペン針（１０）の前記ハブ（１２）から離れ、
第２の位置では、前記複数の戻り止め（２３９）が、前記ペン針（１０）の前記ハブ（１２）に係合する、容器（２０）。
【請求項１７】
前記ハブ（１２）が、第２の位置で、前記戻り止め（２３９）に係合するキャステレーション（１４）を含む、請求項１６に記載の容器（２０）。
【請求項１８】
前記複数の戻り止め（２３９）が、第２の位置で変形する、請求項１６に記載の容器（２０）。
【請求項１９】
前記ハブ（１２）が第２の位置で変形する、請求項１６に記載の容器（２０）。
【請求項２０】
前記複数の戻り止め（２３９）が、変形しない、請求項１９に記載の容器（２０）。
【請求項２１】
ペン針（１０）を収容するための容器（２０）であって、前記容器（２０）が、
複数の空洞（３０）を備え、各空洞（３０）が閉鎖端（３２）および開放端（３４）を有し、
前記空洞（３０）のそれぞれが、ペン針（１０）を、複数の位置で受け入れて、状態を示すように構成されている、容器（２０）。
【請求項２２】
前記複数の位置が、第１の位置および第２の位置を含み、第２の位置が、第１の位置よりも前記容器（２０）の前記開放端（３２）内のより深くに配置されている、請求項２１に記載の容器（２０）。
【請求項２３】
前記状態は、前記ペン針（１０）が使用されているか使用されていないかを示す、請求項２１に記載の容器（２０）。
【請求項２４】
前記状態は、前記ペン針（１０）が回収可能か回収不能かを示す、請求項２１に記載の容器（２０）。
【請求項２５】
前記状態は、前記ペン針（１０）が、前記容器（２０）の前記空洞（３０）内で浅い位置にあるか深い位置にあるかを示す、請求項２１に記載の容器（２０）。
【請求項２６】
容器（２０）内に収容された複数のペン針（１０）を使用する方法であって、
未使用のペン針（１０）を薬物送達用の薬物送達ペンにつなぐ工程と、
前記容器（２０）の空洞（３０）内の第１の位置から前記未使用のペン針（１０）を取り外す工程と、
前記薬物送達ペンにつないだ前記ペン針（１０）を介して薬物を投与する工程と、
前記使用済みペン針（１０）を薬物送達後に、前記容器（２０）の前記空洞（３０）内の第２の位置に配置する工程と、
前記容器（２０）内の前記複数のペン針（１０）の全ての使用後に、前記容器（２０）を、製造業者または廃棄物管理エンティティに送る工程と
を含む、方法。
【請求項２７】
前記容器（２０）の構成要素が、滅菌され、再使用される、請求項２６に記載の方法。
【請求項２８】
複数のリング（４０）のアーム（４２）、複数の突出部（４６）、および複数の戻り止め（２３９）のうちの少なくとも１つが、前記ペン針（１０）を、第１の位置および第２の位置に保持する、請求項２６に記載の方法。
【発明の詳細な説明】
【技術分野】
【０００１】
関連出願の相互参照
本出願は、２０１８年４月２７日に出願された米国仮出願シリアル番号６２／６６３，５９７号から３５Ｕ．Ｓ．Ｃ．第１１９条（ｅ）に基づく優先権を主張するものであり、その全体が参照により本明細書に組み込まれる。
【０００２】
本発明の様々な例示的な実施形態は、投薬ペン針に関する。
【背景技術】
【０００３】
投薬ペンは、患者に薬物を注射するために使用される。定期的に薬物の投与量を注射しなければならない人は、一般的に、薬物ペンと数本のペン針を携帯することとなる。各ペン針は、安全性と無菌性を考慮して設計されている。しかし、非効率と不便が生じる。例えば、投薬ペンおよび数本のペン針を収容することは、典型的には、かさばるハウジング内で達成される。典型的には、ハウジング内の別々のチャンバが、新しいペン針および使用済みのペン針を保持し、これにより必要な容積が増大する。
【発明の概要】
【発明が解決しようとする課題】
【０００４】
本発明の態様は、複数のペン針又はカニューレを運ぶ改良された手段をもたらすペン針保管容器を提供することである。このような容器は、新品および使用済みのペン針を保持する二重の機能を有する単一の入れ物を提供する。これにより、デバイスのサイズ（体積）を大幅に低減することができる。これらの利点は、交互に容器内にペン針空洞を配置してパッキング密度を最大にする、互いに入り込んだ構造によって達成される。また、ペン針は使用後、元の位置に戻され、将来の使用を防ぐために所定の位置にロックされる。従って、別個の廃棄チャンバは回避される。さらに、ペン針は、容器内でより深く配置されて、アクセス性が低下し、針刺しのリスクが最小になる。
【０００５】
本発明の上記および／または他の態様は、ペン針を収容するための容器を提供することによって達成することができ、この容器は、複数の空洞および複数のリングを備え、各空洞は、閉鎖端および開放端を有し、各リングは、ペン針を第１の位置および第２の位置に保持するように構成された複数のアームを含み、開放端は外側に広がっており、複数のアームは、ペン針が第１の位置にあるときに外側に広がっている。
【０００６】
本発明の上記および／または他の態様は、ペン針を収容するための容器を提供することによっても達成することができ、この容器は、複数の空洞および複数のリングを備え、各空洞は、閉鎖端と、開放端と、第１の位置および第２の位置にペン針を保持する複数の突出部とを備え、複数のリングがそれぞれ、ペン針のハブに係合するように構成されており、第１の位置では、複数のリングのうちの１つが、ペン針のハブから離れ、第２の位置では、複数のリングのうちの１つが、ペン針のハブに係合する。
【０００７】
本発明の上記および／または他の態様は、ペン針を収容するための容器を提供することによってさらに達成することができ、この容器は、複数の空洞を備え、各空洞は、閉鎖端と、開放端と、第１の位置および第２の位置にペン針を保持する複数の突出部と、ペン針のハブに係合するように構成された複数の戻り止めとを備え、第１の位置では、複数の戻り止めが、ペン針のハブから離れ、第２の位置では、複数の戻り止めが、ペン針のハブに係合する。
【０００８】
本発明の上記及び／又は他の態様は、ペン針を収容するための容器を提供することによって、さらに達成することができ、この容器は、複数の空洞を備え、各空洞は閉鎖端及び開放端を有し、各空洞は、複数の位置でペン針を受け入れて、状態を示すように構成されている。
【０００９】
本発明の上記及び／又は他の態様は、容器に収容された複数のペン針を使用する方法を提供することによっても達成することができ、この方法は、未使用のペン針を薬物送達用の薬物送達ペンにつなぐ工程と、容器の空洞内の第１の位置から未使用のペン針を取り外す工程と、薬物送達ペンにつないだペン針を介して薬物を投与する工程と、薬物送達後、容器の空洞内の第２の位置に使用済みペン針を配置する工程と、容器内の複数のペン針の全ての使用後に、容器を製造業者または廃棄物管理エンティティ（ｗａｓｔｅ  ｍａｎａｇｅｍｅｎｔ  ｅｎｔｉｔｙ）に送る工程とを含む。
【００１０】
本発明の付加的および／または他の態様および利点は、以下の説明に記載されるか、説明から明らかであるか、または本発明の実施によって学習され得る。
【図面の簡単な説明】
【００１１】
本発明の上記の態様および特徴は、添付図面を参照した本発明の例示的な実施形態の説明からより明らかになるであろう。
【００１２】
【図１】例示的なペン針保管容器の上面断面図を示す。
【図２】図１のペン針保管容器内の空洞の透明な上面斜視図を示す。
【図３】図２のペン針を第１の位置に保持するグリップリングの上面斜視図を示す。
【図４】図３のペン針をペン針保管容器の空洞内に保持するグリップリングの透明な上面斜視図である。
【図５】図２のペン針を第１の位置に保持するグリップリングの上面斜視図の代替実施形態を示す。
【図６】図３のペン針を第２の位置に保持するグリップリングの上面斜視図を示す。
【図７】図６のペン針をペン針保管容器の空洞内に保持するグリップリングの透明な上面斜視図を示す。
【図８】図２のグリップリング及びペン針の３つの異なる状態を有する例示的なペン針保管容器の上面断面図を示す。
【図９】ペン針保管容器の空洞内の第１位置にあるグリップリングとペン針の第２の例示的な実施形態の透明な上面斜視図を示す。
【図１０】ペン針保管容器の空洞内の第２位置における図９のグリップリング及びペン針の透明な上面斜視図を示す。
【図１１】第１の位置にペン針を有するペン針保管容器の空洞の第３の例示的な実施形態の透明な上面斜視図を示す。
【図１２】第２の位置に図１１のペン針を有するペン針保管容器の空洞の透明な上面斜視図を示す。
【発明を実施するための形態】
【００１３】
図１は、複数の空洞３０を有するペン針保管容器２０の断面図を示している。各空洞３０は、グリップリング４０及びペン針１０（後の図に示される）を受け入れるように構成された開放端３４と、閉鎖端３２とを有している。各空洞３０は、複数の位置でペン針１０を受け入れて、状態を示すように構成されている。開放端３４の各々は、後述するようにグリップリング４０の膨張および収縮を可能にするためのフレアーの開口部（ｆｌａｒｅｄ  ｏｐｅｎｉｎｇ）３６を含む。
【００１４】
複数の空洞３０は、図示のように、交互の空洞配置を提供するために、互いに入り込むように有利に配置される。この構成は、デバイスの必要体積を劇的に減少させることによってスペースを最適化し、パッキング密度を最大化する。また、ペン針保管容器２０内に複数のペン針１０を収容することができるので、持ち運びに便利である。
【００１５】
図２は、ペン針保管容器２０の複数の空洞３０のうちの１つの空洞におけるグリップリング４０を示している。グリップリング４０は、例えば金属製又はプラスチック製であり、１つの空洞３０の内壁に、例えば接着剤を介して軸方向及び回転方向に固定されている。説明はされていないが、当業者によって一般的に理解されているペン針保管容器２０の空洞３０にグリップリング４０を固定する他の手段が本明細書では意図されている。グリップリング４０は、好ましくは別個の構成要素であり、成形および製造の困難さのために、ペン針保管容器２０の空洞３０と一体ではない。
【００１６】
グリップリング４０は、グリップリング４０の基部４１から延在する複数のアーム４２を有している。自由かつバイアスのない状態では、複数のアーム４２は、基部４１の表面に対して実質的に垂直である。各アーム４２は、基部４１と反対側の端部に配置されたテーパージョー（ｔａｐｅｒｅｄ  ｊａｗ）４４を有している。アーム４２及びテーパージョー４４は、ペン針１０を捕捉して固定するために使用される。グリップリング４０は、ペン針１０をさらに固定するための複数の突出部４６を有している。最後に、開口部４８は、グリップリング４０の基部４１を通り抜けて広がり、ペン針１０内の針が延在するための空間を提供する。
【００１７】
グリップリング４０とペン針１０との間の第１の位置が図３に示されている。この位置では、ペン針１０はまだ使用されておらず、将来使用する準備ができている。ペン針１０は、グリップリング４０のテーパージョー４４に係合するノッチのようなキャステレーション１４を有するハブ１２を含む。キャステレーション１４とテーパージョー４４との係合は、ペン針１０に回転抵抗を与える。
【００１８】
このような係合は、薬物送達ペンが、薬物送達ペンの回転を介してペン針１０に係合し、固定されることを可能にする。具体的には、ペン針１０の非患者側端部は、ペンカートリッジセプタム（図示しない）に穿刺して、薬物送達ペンとの流体係合を提供する。ペン針１０は、第１の位置で回転または軸方向に固定されていないが、薬物送達ペンがペン針１０に固定されるときに、ペン針１０が固定され、回転しないようにかなりの抵抗が与えられる。
【００１９】
グリップリング４０がペン針１０に第１位置で係合すると、グリップリング４０のアーム４２が弾性変形して外側に広がる。これは、グリップリング４０のバイアス位置であり、グリップリング４０とペン針１０との間にさらなる保持強度を提供する。最後に、グリップリング４０の基部４１の開口部は、ペン針１０の針が延在するための空間を提供する。
【００２０】
図４は、ペン針保管容器２０の複数の空洞３０のうちの１つにおける、図３のグリップリング４０及びペン針１０を示している。グリップリング４０の外側に広がったアーム４２は、空洞３０の開放端３４のフレアーの開口部３６に収納されている。また、第１の位置では、ペン針１０の近位端は、ペン針１０を薬物送達ペンに取り付けるために使用者が容易にアクセスできるように、空洞３０の開放端３４の近くに配置されている。
【００２１】
具体的には、ペン針１０が第１の位置にあるとき、薬物送達ペンは、ペン針１０と係合し、回転して、ペン針１０を薬物送達ペンに固定することができる。続いて、使用者は、薬物送達ペンをペン針保管容器２０から引き出して、新たなペン針１０を取り外す。これで、薬物送達ペンは、ペン針１０を介して薬物を投与する準備ができているので、ペン針１０が第１の位置にあるとき、ペン針１０の状態は、未使用、回収可能および／またはペン針保管容器２０の空洞３０内の浅い位置にある。
【００２２】
代替的な実施形態では、図５は、テーパージョー４４がペン針１０のハブ１２に係合するがキャステレーション１４には完全に係合しない第１の位置にあるグリップリング４０及びペン針１０も図示している。この実施形態では、テーパージョー４４の部分は、ペン針１０のハブ１２の遠位端よりも遠位に配置されている。さらに、アーム４２は外側に広がっておらず、したがって、ペン針１０のハブ１２に追加の把持力を与えない。すなわち、この実施形態の第１の位置では、グリップリング４０は、本来の、バイアスのない状態にある。このような構成は、ペン針保管容器２０内の空洞３０の全体的な空間を減少させ、最適化する。
【００２３】
この構成においても、上記と同様の利益が得られる。具体的には、テーパージョー４４とハブ１２との係合により、ハブ１２に回転抵抗が付与される。また、ペン針１０の近位端が空洞３０の開放端３４の近傍にさらに配置され、ユーザがペン針１０を薬物送達ペンに取り付ける際のアクセス性がさらに容易となる。
【００２４】
図６は、第２の位置でグリップリング４０に囲まれたペン針１０を示す。第２の位置は、ペン針１０をグリップリング４０内にロックして固定し、ペン針１０の将来の使用を防止する。具体的には、ペン針１０が使用された後、使用者は、ペン針１０が薬物送達ペンに接続されている間に、ペン針１０をグリップリング４０内に配置する。テーパージョー４４は、最初、ペン針１０を受け入れるようにバイアスのある位置（ｂｉａｓｅｄ  ｐｏｓｉｔｉｏｎ）で外側に広がる。
【００２５】
ペン針１０が最終的に第２の位置に到達すると、テーパージョー４４の近位端はペン針１０の近位端を越えて延在する。次いで、使用者は、薬物送達ペンを回転させて、それを使用済みのペン針１０から外す。この位置では、アーム４２及びテーパージョー４４は、実質的に外側に広がらない。その代わりに、アーム４２およびテーパージョー４４は、弾性的に元の自由状態に戻り、ペン針１０を部分的に囲んで、グリップリング４０にロックする。
【００２６】
また、第２の位置では、ペン針１０のハブ１２の外径が、グリップリング４０のテーパージョー４４の内径よりも大きい。このようにして、グリップリング４０は、ペン針１０がその後の使用のために取り外されることを防止する物理的障壁となる。
【００２７】
ペン針１０はまた、ペン針保管容器２０のグリップリング４０内のより深くに配置されている。この構成により、有利に、使用済みのペン針１０にアクセスしにくくなる。これは、使用済みのペン針１０を再利用しないために有利である。使用済みのペン針１０を第２の位置で下方に配置することによっても、針刺しのリスクが最小限に抑えられ、安全性が向上する。
【００２８】
ペン針１０は、突出部４６を介して第２位置で所定の位置にさらにロックされる。突出部４６は、グリップリング４０の複数のアーム４２のそれぞれの内面に沿って延在している。突出部４６がペン針１０のハブ１２のキャステレーション１４に接触して、圧縮力を加えてペン針１０を固定する。このため、ペン針１０は、グリップリング４０に回転および軸方向にロックされる。追加の力は、さらなる抵抗が加わり、ペン針１０がグリップリング４０内の第２位置に固定される。また、追加の力は、有利には、ペン針１０を薬物送達ペンからより容易に取り外すことを可能にする。
【００２９】
図７は、図６の第２の位置において、グリップリング４０に囲まれたペン針１０であり、ペン針保管容器２０の複数の空洞３０のうちの１つに配置されているペン針１０を示している。ペン針１０の第２の位置は、第１の位置よりもペン針保管容器２０の開放端３４内のより深くに配置されている。空洞３０の開放端３４におけるフレアーの開口部３６は、ペン針１０に最初に係合したときにグリップリング４０のアーム４２が外側に広がり、その後、ペン針１０が第２の位置でグリップリング４０にロックされたときにその自由位置まで収縮することを可能にする。したがって、ペン針１０が第２の位置にあるとき、ペン針１０の状態は、ペン針保管容器２０の空洞３０内で回収不能および／またはより深い位置で使用される。
【００３０】
図８は、複数の空洞３０に収容された複数の構成のグリップリング４０Ａ、４０Ｂ、４０Ｃを備えたペン針収容容器２０の断面図を示している。具体的には、グリップリング４０Ａは、ペン針１０のない空洞３０の１つに配置されている。グリップリング４０Ｂは、図４に示すように、第１の位置にペン針１０を備えた空洞３０の１つに配置されている。グリップリング４０Ｃは、図７に示すように、第２の位置にペン針１０を備えた空洞３０の１つに配置されている。
【００３１】
図８に示すように、空洞３０は、グリップリング４０及びペン針１０の複数の構成に有利に使用される。具体的には、１つの空洞３０は、第１の位置の新しいペン針１０に有利に使用され、後に第２の位置の使用済みペン針１０に使用される。このような構成は、使用後にペン針格納容器２０内に配置される使用済みペン針１０（汚染された鋭利なもの）用の少なくとも一時的な閉じ込めを提供する。
【００３２】
最後に、全てのペン針１０が使用され、ペン針保管容器２０の各空洞３０内の第２の位置に戻された後、使用者は、安全で無菌廃棄のために、ペン針保管容器２０を、例えば郵送によって、製造業者または廃棄物管理エンティティに有利に送ることができる。任意に、製造業者は、ペン針保管容器２０の様々な構成要素を有利にリサイクルおよび再利用することができる。例えば、製造業者は、ペン針保管容器２０内の空洞３０のいくつかまたはすべてを滅菌および再利用することができる。具体的には、製造業者は、使用済みのペン針４０を１つまたは複数の空洞３０内の未使用のペン針１０と交換することができる。その後、ペン針保管容器２０を出荷し、最終的に再利用のために販売することができる。
【００３３】
図９および図１０は、ペン針保管容器の空洞１３０の第２の例示的な実施形態を示す。本実施形態は、上述した実施形態と同様であるが、以下の点が異なる。本実施形態では、ペン針保管容器は、閉鎖端１３２と開放端１３４とをそれぞれ有する複数の空洞１３０を備えているが、各空洞１３０の開放端１３４には、まっすぐな壁の開口部（ｓｔｒａｉｇｈｔ  ｗａｌｌ  ｏｐｅｎｉｎｇ）１３６が設けられている。このような構成は、ペン針保管容器内のスペースをより小さくできるという利点がある。
【００３４】
また、複数の突出部１３８が、空洞１３０の開放端１３４の近位端近くに配置されている。突出部１３８は、リブとして空洞１３０の内壁に成形されることが好ましいが、他の製造及び設計構成も意図される。ペン針保管容器の各空洞１３０は、同様に上述したように、基部１４１と、複数のアーム１４２と、複数のテーパージョー１４４と、開口部１４８とを有するグリップリング１４０も含む。
【００３５】
第１の位置では、図９に示すように、ペン針１０は、複数の突出部１３８を介して空洞１３０内に保持される。各突出部１３８は、ペン針１０のキャステレーション１４と係合し、空洞１３０内にペン針１０を固定した状態で回転抵抗を付与する。ペン針１０は、第１の位置で回転又は軸方向に固定されていないが、薬物送達ペンがペン針１０に固定されたときに、ペン針１０が固定され、回転しないように大きな抵抗が付与される。
【００３６】
グリップリング１４０はまた、第１位置でペン針１０から離れている。しかしながら、ペン針１０の針は、グリップリング１４０の基部１４１の開口部１４８を通って延在していてもよい。ペン針１０はまた、容易にアクセスできるように、空洞１３０の開放端１３４の近くに配置されている。
【００３７】
第２の位置では、図１０に示されるように、グリップリング１４０のテーパージョー１４４に加えて、空洞１３０の突出部１３８が、ペン針１０のキャステレーション１４と係合し、ペン針１０を空洞１３０内に固定しながら回転抵抗を付与する。この位置では、ペン針１０は、空洞１３０内で回転及び軸方向にロックされ、その後の使用のために取り外すことができない。
【００３８】
また、ペン針１０は、図９に示す第１の位置に比べて、空洞１３０内のより深く、開放端１３４からさらに離れて配置されている。これは、使用済みのペン針１０を再使用させるべきでないために有益である。そのような構成は、有利には、使用されたペン針１０をアクセスしにくくする。使用済みのペン針１０を第２の位置で下方に配置することによっても、針刺しのリスクが最小限に抑えられ、安全性が向上する。
【００３９】
図１１および図１２は、ペン針保管容器内の複数の空洞２３０の第３の例示的な実施形態を示す。本実施形態は、上述した実施形態と同様であるが、以下の点が異なる。この実施形態では、ペン針保管容器は、それぞれが閉鎖端２３２とまっすぐな壁の開口部２３６を有する開放端２３４とを有する複数の空洞２３０を含む。空洞２３０は、複数の突出部２３８と複数の戻り止め２３９とをさらに含む。突出部２３８と戻り止め２３９は、空洞２３０内に成形されるが、他の製造および設計構成が本明細書では意図される。空洞２３０は、グリップリングを含まない。
【００４０】
第１の位置では、図１１に示すように、ペン針１０は、突出部２３８を介して空洞２３０内に保持され、突出部２３８は、ペン針１０内のキャステレーション１４と係合し、空洞２３０内にペン針１０を固定した状態で回転抵抗を付与する。しかし、ペン針１０は、複数の戻り止め２３９と接触していない。ペン針１０は、第１の位置で回転又は軸方向に固定されていないが、薬物送達ペンがペン針１０に固定されたときに、ペン針１０が固定され、回転しないように大きな抵抗が与えられている。また、ペン針１０は、アクセスしやすいように、空洞１３０の開放端１３４の近傍にも配置されている。
【００４１】
第２の位置では、図１２に示すように、戻り止め２３９に加えて、空洞２３０の突出部２３８が、ペン針１０のキャステレーション１４と係合し、回転抵抗および干渉を与える一方で、ペン針１０を空洞２３０内に固定する。好ましくは、この位置では、戻り止め２３９が変形して、ペン針１０を空洞２３０内にロックし、その後の使用のための取り外しを防止する。
【００４２】
他の実施形態では、戻り止め２３９は変形しない。むしろ、戻り止め２３９は、硬質プラスチックまたは金属スパイクのような金属材料からなる。ペン針１０が戻り止め２３９に係合すると、ペン針１０は、釣り針係合（ｆｉｓｈ  ｈｏｏｋ  ｅｎｇａｇｅｍｅｎｔ）またはあごのある接触面（ｂａｒｂｅｄ  ｉｎｔｅｒｆａｃｅ）と同様の方法で塑性変形する。したがって、ペン針１０は、回転および軸方向にロックされ、再使用できない。
【００４３】
また、ペン針１０は、空洞部２３０内のより深く、開放端２３４からさらに離れて配置されている。これは、使用済みのペン針１０を再利用させるべきでないために有利である。そのような構成は、有利には、使用されたペン針１０をアクセスしにくくする。使用済みのペン針１０を第２の位置で下方に配置することによっても、針刺しのリスクが最小限に抑えられ、安全性が向上する。
【００４４】
特定の例示的な実施形態の上記の詳細な説明は、本発明の原理およびその実際的な適用を説明する目的で提供されたものであり、それにより、当業者が様々な実施形態について、および意図される特定の使用に適した様々な修正で本発明を理解することを可能にする。この説明は、必ずしも網羅的であり、本発明を開示された正確な実施形態に限定することを意図するものではない。本明細書に開示された実施形態および／または要素のいずれも、互いに矛盾しない限り、互いに組み合わせて、具体的に開示されていない様々な追加の実施形態を形成してもよい。したがって、さらなる実施形態が可能であり、本明細書および本発明の範囲に包含されることが意図される。本明細書は、別の方法で達成し得る、より一般的な目標を達成するための具体例を記載する。
【００４５】
本出願で使用されるように、用語「前（ｆｒｏｎｔ）」、「後（ｒｅａｒ）」、「上方（ｕｐｐｅｒ）」、「下方（ｌｏｗｅｒ）」、「上方へ（ｕｐｗａｒｄｌｙ）」、「下方へ（ｄｏｗｎｗａｒｄｌｙ）」、および他の方位ディスクリプタは、本発明の例示的な実施形態の説明を容易にすることを意図しており、本発明の例示的な実施形態の構造を任意の特定の位置または方位に限定することを意図していない。「実質的に（ｓｕｂｓｔａｎｔｉａｌｌｙ）」または「およそ（ａｐｐｒｏｘｉｍａｔｅｌｙ）」などの程度の用語は、与えられた値の範囲外の合理的な範囲、例えば、記載された実施形態の製造、組み立て、および使用に関連する一般的な公差を指すものと当業者に理解される。
【図１】
2021521975.tif 000003
【図２】
2021521975.tif 000004
【図３】
2021521975.tif 000005
【図４】
2021521975.tif 000006
【図５】
2021521975.tif 000007
【図６】
2021521975.tif 000008
【図７】
2021521975.tif 000009
【図８】
2021521975.tif 000010
【図９】
2021521975.tif 000011
【図１０】
2021521975.tif 000012
【図１１】
2021521975.tif 000013
【図１２】
2021521975.tif 000014
【国際調査報告】
2021521975.tif 000015
2021521975.tif 000016
2021521975.tif 000017